(57)【要約】【課題】自動検針無線機の無線通信時における通信不良となる環境要因を容易に識別でき、自動検針システムの信頼性を高めることができる自動検針無線機の計測装置を提供する。【解決手段】複数の周波数帯域における電波の有無を検出する複数の電波検出部９と、複数の電波検出部からの信号を復調する複数の信号復調部１０と、複数の信号復調部１０からの信号がデータか雑音か判定する複数のデータ判定部１１と、複数のデータ判定部１１からの信号の検出時間を測定する複数の時間測定部１２と、複数の時間測定部１２から受信した内容を記憶する記憶部１３と、記憶部１３に記憶された内容を表示部１４に表示させる制御部１５からなり、制御部１５は複数の時間測定部１２からのデータを累積して、複数の周波数帯域におけるデータまたは雑音の累積結果を記憶部１３に記憶するとともに、表示部１４に対し複数の周波数帯域における計測内容の表示を行うように制御する。【選択図】図１
2005301473.tif 000002
【特許請求の範囲】
【請求項１】
回線を介して隔測検針装置と接続される無線親機とメータに接続される無線子機との間で無線による通信を行い、前記メータと隔測検針装置との間を通信可能として前記メータの検針を行う自動検針システムの自動検針無線機に対して、無線の通信状態を計測する自動検針無線計測装置において、前記自動検針無線計測装置は、複数の周波数帯域における電波の有無を検出する複数の電波検出部と、前記複数の電波検出部からの信号を復調する複数の信号復調部と、前記複数の信号復調部からの信号がデータか雑音か判定する複数のデータ判定部と、前記複数のデータ判定部からのデータまたは雑音の検出時間を測定する複数の時間測定部と、前記複数の時間測定部から受信した内容を記憶する記憶部と、前記記憶部に記憶された内容を表示部に表示させる制御部からなり、前記制御部は前記複数の時間測定部からのデータを累積して、複数の周波数帯域におけるデータまたは雑音の累積結果を前記記憶部に記憶するとともに、前記表示部に対し複数の周波数帯域における計測内容の表示を行うように制御することを特徴とする自動検針無線計測装置。
【請求項２】
複数のデータ判定部からの信号がデータ信号であるとき、前記データ判定部からのデータ信号より通信内容を解析する複数の電文解析部と、現在時刻を計数する時刻計数部を備え、時刻計数部から入力した時刻と通信内容を記憶部に記憶し、それぞれ受信時刻順に受信内容を表示させることを特徴とする請求項１記載の自動検針無線計測装置。
【発明の詳細な説明】
【技術分野】
【０００１】
本発明はガス、水道、電気等の使用量の検針を行う際の自動検針無線機の通信状態を計測する自動検針無線計測装置に関するものである。
【背景技術】
【０００２】
従来、家庭やオフィスあるいは工場などのガス、水道、電気等の使用量を測定するためのメータに記録されたデータを電話等の通信回線を介して隔測検針装置であるセンターに回収する自動検針システムが普及し、この自動検針システムは、たとえば、各需要家に設置されている電話用の回線とメータとを通信線で接続し、電話回線を介してセンターとメータとで通信を行うものである。
【０００３】
ところで、このような自動検針システムの場合、電話用の回線とメータとを通信線で接続する必要があるため、需要家の屋内外に通信線を引き回し配線する手間と費用が必要であった。特に、電話用の回線とメータとが離れている場合にはこの配線作業はかなりの負担であり、既設の家屋の場合には配線が無理な場合さえあった。
【０００４】
そこで、各需要家の電話用の回線に端末網制御装置（以下「Ｔ−ＮＣＵ」という）を介して無線親機を接続するとともにメータに無線子機を接続し、無線親機と無線子機との間で無線で通信を行うようにすることによって屋内外の配線を不要とする自動無線検針システムについて提案されている（例えば、特許文献１参照）。
【０００５】
図３は、特許文献１に記載された従来の自動無線検針システムを示すものである。図３において、１は隔測検針装置、２は公衆電話回線、３は需要家、４はＴ−ＮＣＵ、５は無線親機にして、送受信回路を有し、隔測検針装置１とＴ−ＮＣＵ４までは公衆電話回線２で結ばれ、Ｔ−ＮＣＵ４と無線親機５間は通信線ａで結ばれている。６は無線子機にして、送受信回路を有し、通信線ｂでメータ７に接続されている。無線親機５と無線子機６は無線で相互に通信が可能で、メータ７内の情報はこの無線子機６から無線親機５に送信される。
【０００６】
隔測検針装置１からは、公衆電話回線２にて需要家に設置されたＴ−ＮＣＵ４を介して無線親機５を駆動し、この無線親機５から無線子機６に対して電波信号が送られる。無線子機６は無線親機５からの信号を受けると、メータ７内にストックされた計量情報等をとり出し、この情報を無線で無線親機５に送信する。無線親機５は、無線子機６から受けた情報をＴ−ＮＣＵ４及び公衆電話回線２を経由して隔測検針装置１に送る。
【０００７】
この結果、従来のように、建物内において、メータ７の配線を行う必要がなく、工事が簡単になると共に建物の美観を損ねたりしない。又、特に既設の集合住宅或いはテナントビル等において、後から自動検針システムを適用する際に、各メータ毎に配線工事等を行う必要がなくなるため、自動検針システムの実現が容易になる。
【特許文献１】特開平６−８５９３８号公報（第１−４頁、第１図）
【発明の開示】
【発明が解決しようとする課題】
【０００８】
ところでこうしたシステムでは、無線親機と無線子機の登録作業は、無線子機とメータの接続後、所定の操作、たとえば無線子機と無線親機の起動用スイッチ等を同時に入力することによって無線子機がメータからメータ管理ＩＤを取得し、この取得したメータ管理ＩＤを無線送信により無線親機に送信し、無線親機は無線子機からメータ管理ＩＤを取得すると、次に親機の持っている無線通信に必要な通信情報を無線子機に送信する。これにより、無線親機と無線子機の登録作業が完了し、以降隔測検針装置であるセンタからメータまでの通信が可能となる。
【０００９】
しかしながら、前記従来の構成では、これらの登録作業後、隔測検針装置であるセンタからの通信が可能となるわけであるが、無線通信においては通信周波数帯域における妨害波などがあり、無線通信不良となることがある。また、無線通信においてはメータにとりつけられた無線子機の設置環境条件とりわけ周辺の電波状況が電波送信部に直接影響して無線信号の品質を低下させ、通信不良が発生することがしばしばあり、無線通信における通信不良の原因を検出することは作業現場においては非常に困難であり、正常通信できるまでかなりの時間がかかってしまうという課題を有していた。
【００１０】
本発明は、前記従来の課題を解決するもので、自動検針無線機の無線通信時における通信不良となる環境要因を容易に識別することができ、自動検針システムの信頼性を高めることができる自動検針無線機の計測装置を提供することを目的とする。
【課題を解決するための手段】
【００１１】
前記従来の課題を解決するために、本発明の自動検針無線計測装置は、回線を介して隔測検針装置と接続される無線親機とメータに接続される無線子機との間で無線による通信を行い、メータと隔測検針装置との間を通信可能としてメータの検針を行う自動検針システムの自動検針無線機に対して、無線の通信状態を計測する自動検針無線計測装置において、自動検針無線計測装置は、複数の周波数帯域における電波の有無を検出する複数の電波検出部と、複数の電波検出部からの信号を復調する複数の信号復調部と、複数の信号復調部からの信号がデータか雑音か判定する複数のデータ判定部と、複数のデータ判定部からのデータまたは雑音の検出時間を測定する複数の時間測定部と、複数の時間測定部から受信した内容を記憶する記憶部と、記憶部に記憶された内容を表示部に表示させる制御部からなり、制御部は複数の時間測定部からのデータを累積して、複数の周波数帯域におけるデータまたは雑音の累積結果を記憶部に記憶するとともに、表示部に対し複数の周波数帯域における計測内容の表示を行うように制御することができるようにしたものである。
【００１２】
これによって、周囲環境のデータ通信時間と雑音の発生時間やその比率等が明確になり
どの周波数帯域が通信困難で、どの周波数帯域が通信に適しているかを判定できるようになる。
【００１３】
また、本発明の自動検針無線計測装置は、さらにデータ通信であれば、その通信内容も
通信時刻とともに記憶させることができるため、データ通信不良の解析もできるようになる。
【発明の効果】
【００１４】
本発明の自動検針無線計測装置は、複数の周波数帯域において、データ通信と雑音の発生状況を把握することができるため、通信に適した周波数帯域が容易に判断でき、安定した通信環境を実現することができる。さらにデータ通信であれば、その通信内容と通信時刻が確認できるので、データ通信不良の解析もできるようになる。
【００１５】
上記発明により、自動検針無線機の無線通信時における通信不良となる原因を容易に識別することができ、自動検針システムの信頼性を高めることができる。
【発明を実施するための最良の形態】
【００１６】
第１の発明は、回線を介して隔測検針装置と接続される無線親機とメータに接続される無線子機との間で無線による通信を行い、メータと隔測検針装置との間を通信可能としてメータの検針を行う自動検針システムの自動検針無線機に対して、無線の通信状態を計測する自動検針無線計測装置において、自動検針無線計測装置は、複数の周波数帯域における電波の有無を検出する複数の電波検出部と、複数の電波検出部からの信号を復調する複数の信号復調部と、複数の信号復調部からの信号がデータか雑音か判定する複数のデータ判定部と、複数のデータ判定部からのデータまたは雑音の検出時間を測定する複数の時間測定部と、複数の時間測定部から受信した内容を記憶する記憶部と、記憶部に記憶された内容を表示部に表示させる制御部からなり、制御部は複数の時間測定部からデータを信号と雑音のそれぞれについて累積して、複数の周波数帯域におけるデータまたは雑音の累積結果を記憶部に記憶するとともに、表示部に対し複数の周波数帯域における計測内容の表示を行うように制御することができるようにしたもので、周囲環境の良否が容易にできるものである。
【００１７】
第２の発明は、特に、第１の発明に複数のデータ判定部からの信号がデータ信号であるとき、前記データ判定部からのデータ信号より通信内容を解析する電文解析部と、現在時刻を計数する時刻計数部を備え、時刻計数部から入力した時刻と通信内容を記憶部に記憶し、それぞれ受信時刻順に受信内容を表示させることにより、通信内容と通信時刻が確認できるので、データ通信不良の解析もできるようになる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における自動検針無線計測装置のブロック図である。
【００２０】
図１において、隔測検針装置１は、回線２からＴ−ＮＣＵ４を介して無線親機５と接続される。無線子機６は前記無線親機５に対向して設けられ需要家３のメータ７に接続される。
【００２１】
８は自動検針無線計測装置で、９は複数の周波数帯域における電波の有無を検出する複数の電波検出部、１０は複数の電波から信号を復調する複数の信号復調部、１１は複数の信号復調部１０からの信号がデータか雑音か判定する複数のデータ判定部、１２は複数のデータ判定部１１からのデータまたは雑音の検出時間を測定する複数の時間測定部、１３は複数の時間測定部１２から受信した内容を記憶する記憶部、１５は記憶部１３に記憶された内容を表示部１４に表示させる制御部であり、制御部１５は複数の時間測定部１２からのデータを累積して、複数の周波数帯域におけるデータまたは雑音の累積結果を記憶部１３に記憶するとともに、表示部１４に対し複数の周波数帯域における計測内容の表示を行うように制御するものである。
【００２２】
センターからの自動検針の場合、隔測検針装置１から回線２およびＴ−ＮＣＵ４を介して無線親機５に対して、メータの検針要求を送信し、無線親機５から無線子機６に対してメータの検針要求を無線送信して、無線子機６が需要家３のメータ７に対して検針要求を送信する。無線子機６はメータ７からの検針応答を受信すると、無線親機５に対して検針応答を無線送信し、無線親機５からＴ−ＮＣＵ４を介して隔測検針装置１に検針応答を送信する。こうして、メータ７の検針値をセンターで集中検針できる。
【００２３】
電波状態の解析および表示は、複数の電波検出部９で、複数の周波数帯域における電波の有無を検出し、電波を検出すると、複数の信号復調部１０で複数の電波から信号を復調し、複数のデータ判定部１１で信号がデータか雑音か判定するとともに、複数の時間測定部１２で複数のデータ判定部１１からのデータまたは雑音の検出時間を測定する。複数の時間測定部１２は、信号がデータであればデータの検出時間を測定し、記憶部１３に記憶し、信号が雑音であれば雑音の検出時間を測定し、記憶部１３にそれぞれ記憶する。制御部１４は複数の時間測定部１２からのデータを累積して、複数の周波数帯域におけるデータまたは雑音のそれぞれの累積結果を記憶部１３に記憶するとともに、表示部１５に対し複数の周波数帯域における計測内容の表示を行う。
【００２４】
以上のように、無線通信を行う環境で、各通信周波数帯域毎にデータと雑音の発生状況を測定することにより、どの周波数帯域が良好な帯域であるかが判定できるので、安心して自動無線検針を行うことができる。
【００２５】
（実施の形態２）
図２は本発明の第２の実施の形態における自動検針システムのブロック図である。
【００２６】
図１と同一の物には同一の番号を付してある。
【００２７】
図２において、隔測検針装置１は、回線２からＴ−ＮＣＵ４を介して無線親機５と接続される。無線子機６は前記無線親機５に対向して設けられ需要家３のメータ７に接続される。
【００２８】
８は自動検針無線計測装置で、９は複数の周波数帯域における電波の有無を検出する複数の電波検出部、１０は複数の電波から信号を復調する複数の信号復調部、１１は複数の信号復調部１０からの信号がデータか雑音か判定する複数のデータ判定部、１２は複数のデータ判定部１１からのデータまたは雑音の検出時間を測定する複数の時間測定部、１３は複数の時間測定部１２から受信した内容を記憶する記憶部、１５は記憶部１３に記憶された内容を表示部１４に表示させる制御部であり、制御部１５は複数の時間測定部１２からのデータを累積して、複数の周波数帯域におけるデータまたは雑音の累積結果を記憶部１３に記憶するとともに、表示部１４に対し複数の周波数帯域における計測内容の表示を行うように制御するものである。
【００２９】
１６は複数の電文解析部で複数のデータ判定部１１からの信号がデータ信号であるとき、データ判定部１１からのデータ信号より通信内容を解析し、１７は時刻計数部で現在時刻を計数する。制御部１５は時刻計数部から入力した時刻と電文解析部１６からの通信内容を記憶部１３に記憶し、それぞれ受信時刻順に受信内容を表示部１４に表示させる。
【００３０】
センターからの自動検針の場合、隔測検針装置１から回線２およびＴ−ＮＣＵ４を介して無線親機５に対して、メータの検針要求を送信し、無線親機５から無線子機６に対してメータの検針要求を無線送信して、無線子機６が需要家３のメータ７に対して検針要求を送信する。無線子機６はメータ７からの検針応答を受信すると、無線親機５に対して検針応答を無線送信し、無線親機５からＴ−ＮＣＵ４を介して隔測検針装置１に検針応答を送信する。こうして、メータ７の検針値をセンターで集中検針できる。
【００３１】
電波状態の解析および表示は、複数の電波検出部９で、複数の周波数帯域における電波の有無を検出し、電波を検出すると、複数の信号復調部１０で複数の電波から信号を復調し、複数のデータ判定部１１で信号がデータか雑音か判定するとともに、複数の時間測定部１２で複数のデータ判定部１１からのデータまたは雑音の検出時間を測定する。複数の時間測定部１２は、信号がデータであればデータの検出時間を測定し、記憶部１３に記憶し、信号が雑音であれば雑音の検出時間を測定し、記憶部１３にそれぞれ記憶する。制御部１５は複数の時間測定部１２からのデータを累積して、複数の周波数帯域におけるデータまたは雑音のそれぞれの累積結果を記憶部１３に記憶するとともに、表示部１４に対し複数の周波数帯域における計測内容の表示を行う。
【００３２】
さらに複数の電文解析部１６で複数のデータ判定部１１からの信号がデータ信号であるとき、データ判定部１１からのデータ信号より通信内容を解析し制御部１５に送ると制御部１５はその内容を記憶部１３に記憶する。制御部１５は時刻計数部１７で計数した現在時刻も入力し記憶部１３に記憶することにより受信時刻とともに受信内容を記憶することが出来るので、受信時刻順に受信内容を表示部１４に表示させることができる。
【００３３】
以上のように、無線通信を行う環境で、各通信周波数帯域毎にデータと雑音の発生状況を測定することにより、どの周波数帯域が良好な帯域であるかが判定できるので、安心して自動無線検針を行うことができる。この周囲環境の計測を１日単位や１週間単位で計測すれば、１日のどの時間帯のどの周波数帯域でが雑音が多いか、１週間のうちどの曜日のどの周波数帯域でが雑音が多いなどがわかるので、より最適な条件を選定しやすくなる。
【００３４】
さらに、データ通信も同時に観測することができるので、通信不良が発生したときなど
の解析にも有効である。
【産業上の利用可能性】
【００３５】
以上のように、本発明にかかる自動検針無線計測装置は、無線通信を行う環境で、各通信周波数帯域毎にデータと雑音の発生状況を測定することにより、どの周波数帯域が良好か明確になり、１日単位や１週間単位で計測すれば１日のどの時間帯のどの周波数帯域でが雑音が多いか、１週間のうちどの曜日のどの周波数帯域でが雑音が多いなどがわかるので、最適な通信条件を選定しやすくなり、安心して自動無線検針を行うことができる。
【００３６】
さらに、データ通信も同時に観測することができるので、通信不良が発生したときなどの解析にも有効である。
【００３７】
また、本発明はどの無線通信システムにも応用が可能となるので、自動無線検針以外の用途にも適用できる。
【図面の簡単な説明】
【００３８】
【図１】本発明の実施の形態１における自動検針無線計測装置のブロック図
【図２】本発明の実施の形態２における自動検針無線計測装置のブロック図
【図３】従来の自動検針システムのブロック図
【符号の説明】
【００３９】
１    隔測検針装置
２  公衆電話回線（回線）
５  無線親機
６  無線子機
７  メータ
８  自動検針無線計測装置
９  複数の電波検出部
１０  複数の信号復調部
１１  複数のデータ判定部
１２  複数の時間計測部
１３  記憶部
１４  表示部
１５  制御部
１６  複数の電文解析部
１７  時刻計数部
【図１】
2005301473.tif 000003
【図２】
2005301473.tif 000004
【図３】
2005301473.tif 000005